(57)【要約】【課題】低速仕様の遠隔通信端末機を用いて有線又は無線の低速通信網環境でも遠隔地にあるコンピュータを直接制御し実行できるコンピュータの遠隔制御方法及びそのシステムを提供する。【解決手段】本発明に係る遠隔制御方法は、通信網に接続された遠隔地コンピュータに設置されたアプリケーションプログラムの属性情報を要求するステップと、前記遠隔地コンピュータから前記アプリケーションプログラムの属性情報を抽出して処理した情報を、前記通信網を介して送信されるステップと、その受信した情報に基づいて、前記アプリケーションプログラムのユーザインタフェースを遠隔通信端末機で再構成するステップとを含む。【選択図】図２
2009500763.tif 000002
【特許請求の範囲】
【請求項１】
通信網に接続された遠隔地コンピュータに設置されたアプリケーションプログラムの属性情報を要求するステップと、
前記遠隔地コンピュータで、前記アプリケーションプログラムの属性情報を抽出して処理した情報を、前記通信網を介して受信するステップと、
前記受信した情報に基づいて、前記アプリケーションプログラムのユーザインタフェースを遠隔通信端末機で再構成するステップと
を含むことを特徴とするコンピュータの遠隔制御方法。
【請求項２】
前記受信した情報は、前記アプリケーションプログラムのウィンドウズ座標情報、前記アプリケーションプログラムの内部で使用しているグラフィックユーザインターフェース（ＧＵＩ）コントロール情報、前記アプリケーションプログラムの画像をキャプチャした情報のうち、少なくとも１つを含むことを特徴とする請求項１に記載のコンピュータの遠隔制御方法。
【請求項３】
前記遠隔通信端末機の画像解像度が前記遠隔地コンピュータの画像解像度より低い場合、前記アプリケーションプログラムの画像をキャプチャした情報は、前記アプリケーションプログラムの画像のうち、所定部分のみをキャプチャした情報であることを特徴とする請求項２に記載のコンピュータの遠隔制御方法。
【請求項４】
前記アプリケーションプログラムのウィンドウズは、フレームフォーマットで表現されることを特徴とする請求項２に記載のコンピュータの遠隔制御方法。
【請求項５】
前記アプリケーションプログラムの属性情報の変更を要求するステップと、
前記遠隔地コンピュータで前記要求に応じて、前記アプリケーションプログラムが属性情報を変更し、その結果を通報するステップと
をさらに含むことを特徴とする請求項１に記載のコンピュータの遠隔制御方法。
【請求項６】
前記遠隔通信端末機で前記遠隔地コンピュータの入力手段に対応させられた入力装置を制御するステップをさらに含むことを特徴とする請求項１に記載のコンピュータの遠隔制御方法。
【請求項７】
前記受信した情報は、前記通信網の送信速度に対応して定形化された情報であることを特徴とする請求項１に記載のコンピュータの遠隔制御方法。
【請求項８】
前記再構成するステップでは、前記受信した情報を前記遠隔通信端末機の画面サイズに対応して座標を再構成して表現することを特徴とする請求項１に記載のコンピュータの遠隔制御方法。
【請求項９】
前記遠隔地コンピュータのアイコン情報を受信して、それを前記遠隔通信端末機に表示するステップと、
表示されたアイコンから、選択されたアイコンに対応する前記遠隔地コンピュータのアプリケーションプログラムを駆動するステップと
をさらに含むことを特徴とする請求項１に記載のコンピュータの遠隔制御方法。
【請求項１０】
遠隔地コンピュータに設置されたアプリケーションプログラムの属性情報を抽出して処理した情報を、通信網を介して送信する遠隔地コンピュータマネージャと、
前記アプリケーションプログラムの属性情報を要求し、前記遠隔地コンピュータから受信した情報に基づいて、前記アプリケーションプログラムのユーザインタフェースを再構成する遠隔地通信端末機と
を含むことを特徴とするコンピュータの遠隔制御システム。
【請求項１１】
前記遠隔地コンピュータマネージャは、前記遠隔地コンピュータに備えられることを特徴とする請求項１０に記載のコンピュータの遠隔制御システム。
【請求項１２】
前記遠隔地コンピュータと前記遠隔地通信端末機とは、前記通信網を介して直接通信することを特徴とする請求項１０に記載のコンピュータの遠隔制御システム。
【請求項１３】
前記遠隔地コンピュータと前記遠隔地通信端末機とは、ゲートウェイサーバを介して通信することを特徴とする請求項１０に記載のコンピュータの遠隔制御システム。
【請求項１４】
前記遠隔地コンピュータマネージャが送信する情報は、前記アプリケーションプログラムのウィンドウズ座標情報、前記アプリケーションプログラムの内部で使用しているＧＵＩコントロールの情報、前記アプリケーションプログラムの画像をキャプチャした情報のうち、少なくとも１つを含むことを特徴とする請求項１０に記載のコンピュータの遠隔制御システム。
【請求項１５】
前記遠隔通信端末機の画像解像度が前記遠隔地コンピュータの画像解像度より低い場合、前記アプリケーションプログラムの画像をキャプチャした情報は、前記アプリケーションプログラムの画像のうち、所定部分のみをキャプチャした情報であることを特徴とする請求項１４に記載のコンピュータの遠隔制御システム。
【請求項１６】
前記遠隔地コンピュータマネージャが送信する情報は、前記通信網の送信速度に対応して定形化された情報であることを特徴とする請求項１０に記載のコンピュータの遠隔制御システム。
【請求項１７】
前記遠隔通信端末機は、前記ユーザインタフェースを介して前記遠隔地コンピュータのアプリケーションプログラムを駆動するために、前記遠隔地コンピュータの入力手段に対応させられた入力装置を含むことを特徴とする請求項１０に記載のコンピュータの遠隔制御システム。
【請求項１８】
前記ユーザインタフェースは、前記受信した情報を前記遠隔通信端末機の画面サイズに対応して再構成して表現されることを特徴とする請求項１０に記載のコンピュータの遠隔制御システム。
【発明の詳細な説明】
【技術分野】
【０００１】
本発明は、遠隔地コンピュータを制御する方法及びそのシステムに関し、さらに詳細には、低速仕様の遠隔通信端末機を用いて、有線又は無線上の低速通信網環境でも遠隔地にあるコンピュータを直接制御し実行し得るコンピュータの遠隔制御方法及びそのシステムに関する。
【背景技術】
【０００２】
遠隔地にある遠隔地コンピュータとユーザのコンピュータとの間、又は遠隔地コンピュータと個人用通信端末機との間は、有線又は無線通信網を介してデータ同期化を行うことことができる。従来は、遠隔地コンピュータに表示されたグラフィックユーザインターフェース（ＧＵＩ）の画像をキャプチャし、そのキャプチャした画像を圧縮し、その画像を送信するか、あるいはグラフィックデバイスインターフェース（ＧＤＩ）をキャプチャし、イベントを同期化してデータ同期化がなされてきた。しかしながら、かかる方法は、送信されるデータ量がぼう大なので、ＬＡＮのような高速通信網では問題にならなかったが、低速モデムを用いた通信や無線モバイル通信のような低速通信網環境では、 高額な費用を伴うか、又はリアルタイム制御が難しくなるので、利用価値が極めて低い。
【０００３】
図１は、従来の技術に係るコンピュータの遠隔制御方法の説明に用いられる図である。図１に示すように、有線通信網を介して遠隔制御対象である遠隔地コンピュータ１０、遠隔通信端末機２０、サーバ３０が通信可能に接続されている。ユーザは、遠隔通信端末機２０を介して表示されたグラフィックユーザインターフェースをキャプチャする方式などにより、遠隔地コンピュータ１０を遠隔制御する。
【０００４】
ところが、遠隔通信端末機２０が一般的なコンピュータではないＰＤＡ(Personal Digital Assistant)やモバイル通信端末機のように画面サイズが遠隔地コンピュータ１０の画面サイズより小さな場合、遠隔地コンピュータ１０の画面に表示された画像を、データ同期化してそのまま持ってくるようにすると、画像を縮小して見るようになる。したがって、このような縮小過程でデータの内容の一部が見えなくなる場合が発生し、遠隔地コンピュータの制御が難しくなる。また、通常の場合、ＰＤＡや無線モバイル通信端末機は、コンピュータより中央処理装置（ＣＰＵ）の性能が低いので、データ送信量を減らすために、ＪＰＥＧ形式のように画像を圧縮するが、これを再び復元するとき、速度が遅いので遠隔地コンピュータ１０の画像変化などをリアルタイムで反映させるのが難しくなる。
【０００５】
表１は、一般的なコンピュータとＰＤＡ又はモバイル通信端末機などのような個人用通信端末機の画面サイズとＣＰＵの性能差を示した表である。
【表１】
2009500763.tif 000003
【０００６】
表１に示したように、一般的なコンピュータと個人用通信端末機は、解像度やＣＰＵの性能に差がある。また、携帯電話やＰＤＡのように個人用通信端末機の場合は、入力手段が単純であるので、マウスやキーボードなどで制御される遠隔地コンピュータを両方向に制御するのが容易ではない。したがって、従来の技術に係るコンピュータの遠隔制御方法は、低速仕様の遠隔通信端末機に適用するのに問題がある。
【発明の開示】
【発明が解決しようとする課題】
【０００７】
本発明は、上述の問題点に鑑みてなされたもので、その目的は、外出先又は出先など高速の通信網接続が難しい環境でも、遠隔地にあるコンピュータにアクセスしてコンピュータの実行機能やタスクリストなどを選択して実行させることができるコンピュータの遠隔制御方法及びそのシステムを提供することである。
【０００８】
本発明の他の目的は、高速仕様の遠隔地コンピュータと低速仕様の遠隔通信端末機との間の接続をスムーズに行うように、最適化されたデータ同期化方法を使用するコンピュータの遠隔制御方法及びそのシステムを提供することである。
【０００９】
本発明のさらに他の目的は、高速仕様の遠隔地コンピュータと低速仕様の遠隔通信端末機との間の画面解像度と入力手段との差を解決して、遠隔地コンピュータの制御、アプリケーションプログラムの管理、遠隔地コンピュータを介したインターネット情報検索などをスムーズに行うことができるように多様な形態のユーザインタフェース方法を有するコンピュータの遠隔制御方法及びそのシステムを提供することである。
【課題を解決するための手段】
【００１０】
上記の目的を達成する、本発明に係る遠隔地コンピュータの制御方法は、通信網に接続された遠隔地コンピュータに設置されたアプリケーションプログラムの属性情報を要求するステップと、前記遠隔地コンピュータで、前記アプリケーションプログラムの属性情報を抽出し、その抽出した属性情報を処理した情報を、前記通信網を介して受け取るステップと、前記受け取った情報に基づいて、前記アプリケーションプログラムのユーザインタフェースを遠隔通信端末機で再構成するステップとを含む。
【００１１】
前記受信した情報は、前記アプリケーションプログラムのウィンドウズ（登録商標）座標情報、前記アプリケーションプログラムの内部で使用しているＧＵＩコントロール情報、前記アプリケーションプログラムの画像をキャプチャした情報のうち、少なくとも１つを含むことが好ましい。また、前記遠隔通信端末機の画像解像度が前記遠隔地コンピュータの画像解像度より低い場合、前記アプリケーションプログラムの画像をキャプチャした情報は、前記アプリケーションプログラムの画像のうち、所定部分のみをキャプチャした情報であること好ましい。
【００１２】
前記アプリケーションプログラムのウィンドウズは、フレームフォーマットで表現して速い速度で表現することが可能である。
【００１３】
前記アプリケーションプログラムの属性情報の変更を要求するステップと、前記遠隔地コンピュータで、前記要求に応じて、前記アプリケーションプログラムが属性情報を変更し、その結果を通報するステップとをさらに含むことが好ましい。また、前記遠隔通信端末機で前記遠隔地コンピュータの入力手段に対応させられた入力装置を制御するステップをさらに含むことが好ましい。
【００１４】
前記受信した情報は、前記通信網の送信速度に対応して定形化された情報であることが好ましく、前記再構成するステップでは、前記受信した情報を前記遠隔通信端末機の画面サイズに対応して座標を再構成して表現することが好ましい。そして、前記遠隔地コンピュータのアイコン情報を受信して、前記遠隔通信端末機にそれを表示するステップと、表示されたアイコンから選択されたアイコンに対応する前記遠隔地コンピュータのアプリケーションプログラムを駆動するステップとをさらに含むことが好ましい。
【００１５】
一方、本発明に係る遠隔コンピュータを制御するシステムは、遠隔地コンピュータに設置されたアプリケーションプログラムの属性情報を抽出して処理した情報を、通信網を介して送信する遠隔地コンピュータマネージャと、前記アプリケーションプログラムの属性情報を要求し、前記遠隔地コンピュータから受信した情報に基づいて、前記アプリケーションプログラムのユーザインタフェースを再構成する遠隔地通信端末機とを含む。
【００１６】
前記遠隔地コンピュータマネージャは、前記遠隔地コンピュータに備えられることが好ましく、前記遠隔地コンピュータと前記遠隔地通信端末機とは、前記通信網を介して直接通信するか、又はゲートウェイサーバを介して接続されても良い。
【発明の効果】
【００１７】
本発明によれば、低速の通信網で、遠隔地コンピュータに比べて低速仕様の遠隔通信端末機と遠隔地コンピュータとの間の最適化されたデータ同期化を支援するので、小さくは、国内のどこでも又は広くは海外出張中にも通信網接続さえ支援されるならば、ＰＤＡ又はモバイル通信端末機で社内コンピュータ又は家庭のコンピュータにアクセスして、必要なアプリケーションプログラムの駆動、内部の文書検索、メール検索なども行うことができる。これをさらに拡張すれば、シンクライアントにも応用できるという効果をもたらす。
【００１８】
特に、遠隔通信端末機を用いて遠隔地でｅメールを検査することができる。又、ユーザは、遠隔通信端末機上の小さな画面で遠隔地コンピュータの特定アプリケーションプログラム内の必要な部分のデータをテキスト形式で見ることができる。さらに、必要な情報をデータの損失なしで得ることができので、個人用や業務用にも利用できる。したがって、活用できる範囲が多様である。
【００１９】
そして、低速の通信網でも既存の方式に比べて２倍以上速くデータを送信できるので、安く遠隔地コンピュータを制御し情報を検索できるから、経済的効果が大きい。
【発明を実施するための最良の形態】
【００２０】
以下、図面を参照して本発明の好ましい実施の形態をさらに詳細に説明する。
図２は、本発明に係るコンピュータの遠隔制御方法が適用されるシステムの説明に用いられる図である。図２に示すように、遠隔地コンピュータ１００、遠隔通信端末機２００、ゲートウェイサーバ（図示せず）が有線又は無線通信網（有無線通信網）１５０を介して通信可能に接続されている。遠隔地コンピュータ１００には、遠隔コンピュータマネージャ１３０が設置され、遠隔通信端末機２００には、遠隔制御プログラム２４０が設置される。
【００２１】
ここで、有無線通信網１５０は、ＬＡＮ、ｘＤＳＬ、ケーブル、専用線などのような超高速有線インターネット及び、無線ＬＡＮのような高速無線通信網、電話線モデム、無線モバイル通信のような低速通信網を全て含む。そして、遠隔通信端末機２００は、一般のコンピュータ、ＰＤＡ、携帯電話のように、機器の種類に関係なくＧＵＩを表示することができ、無線又は有線で通信網に接続することができるすべての個人用通信端末機を含む。
【００２２】
遠隔制御対象である遠隔地コンピュータ１００に設置されて運用される遠隔コンピュータマネージャ１３０が遠隔地コンピュータ１００上に常駐している。遠隔コンピュータマネージャ１３０は、ウィンドウズの全体の状態や、対応するウィンドウズ内で運用されているアプリケーションプログラムのサイズや位置のような座標情報を抽出し、外部からのアプリケーションプログラムの内部管理情報を認知し、その情報を基にプログラムのテキスト、画像などの情報を抽出し、抽出された情報を処理し、その処理した情報を遠隔通信端末機２００に送信することができる。
【００２３】
遠隔コンピュータマネージャ１３０は、まず遠隔地コンピュータ１００のウィンドウズ上で動作しているアプリケーションプログラムのウィンドウやコントロール情報を抽出又は変更する。その際、コントロールの種類に応じてシステムＡＰＩ、ＣＯＭ、ウィンドウパターン、キー／マウスシミュレーションなどの方法により情報を抽出又は変更する。コントロールで、アプリケーションプログラムのコントロール値を読み出したり、書き込みすることができない場合、他のアプリケーションプログラムのメモリ領域を使用する場合もある。データが多い場合、低速仕様の通信用端末機では容量と表現に関する問題があるため、部分別抽出も可能にする。
【００２４】
このように構成されたシステムにおいて、本発明の一実施の形態に係るコンピュータの遠隔制御方法を説明すれば、以下のとおりである。
【００２５】
図３は、遠隔通信端末機から遠隔地コンピュータのアプリケーションプログラムの属性情報を抽出して処理する過程を説明するのに提供されたメッセージシーケンスチャートである。図３に示すように、まず遠隔通信端末機２００が遠隔地コンピュータ１００の遠隔コンピュータマネージャ１３０にアプリケーションプログラムのウィンドウ及びコントロール情報を要求する（Ｓ３０５）。これにより、遠隔コンピュータマネージャ１３０が、要求を受けたウィンドウ及びコントロール情報を抽出し（Ｓ３１０）、抽出して収集された情報を、有無線通信網１５０を介して遠隔通信端末機２００に伝達する（Ｓ３２０）。遠隔通信端末機２００では、伝達された情報を該当端末機の画面に合うようにサイズや配置情報を再構成して端末機の画面に表示する（Ｓ３２５）。
【００２６】
遠隔通信端末機２００が遠隔地コンピュータ１００のコントロール情報の変更を要求すると（Ｓ３３０）、遠隔コンピュータマネージャ１３０が該当コントロール情報を変更した後（Ｓ３３５）、その変更結果を遠隔通信端末機２００に送信する（Ｓ３４０）。
【００２７】
このとき、遠隔地コンピュータ１００と遠隔通信端末機２００とは、通信を提供するサービス方式に応じて直接接続されることも、間接的に接続されることもあり、また、環境上の差を管理するために、ゲートウェイサーバ（図示せず）を介して接続することもできる。ゲートウェイサーバは、遠隔コンピュータマネージャ１３０のサーバ接続リストを管理して、遠隔通信端末機２００から制御作業が要求されたとき、対象遠隔地コンピュータ１００への接続のためのセッションを管理し、遠隔通信端末機２００の遠隔制御作業中に発行するすべてのデータ（ウィンドウコントロール、ウェブオブジェクト、画像、制御命令等）を遠隔通信端末機２００から遠隔コンピュータマネージャ１３０に、あるいは遠隔コンピュータマネージャ１３０から遠隔通信端末機２００に伝達する。また、ゲートウェイサーバは、通信端末機２００と遠隔コンピュータマネージャ１３０とがプロキシセッションを通して接続された後には、受信されたすべてのデータパケットをプロトコル分析や変換なしに中継する。
【００２８】
遠隔通信端末機２００は、遠隔地コンピュータ１００に適するように予め定められた所定のフォーマットに定形化させた情報を受け、その定型化されたフォーマットを該当端末機の環境に合うように変換する。遠隔通信端末機は仮想マウスなどを介して遠隔地コンピュータ１００を制御することができる。すなわち、遠隔通信端末機２００の画面に遠隔地コンピュータ１００のマウスと類似した仮想のマウスカーソルを表示させ、遠隔通信端末機２００の任意の入力ボタンを上下左右のキーに割り当てて、遠隔地コンピュータ１００上でマウスが動いているごとく制御して、アプリケーションプログラムの選択、実行、移動などのような動作を行わせる。
【００２９】
図４は、仮想マウスを用いて、遠隔地コンピュータを遠隔制御する過程の説明に提供されるメッセージシーケンスチャートである。図４に示すように、遠隔通信端末機２００から仮想マウスの移動及び動作を選択して（Ｓ４０５）、遠隔制御が始まる（Ｓ４１０）。遠隔通信端末機２００で仮想マウスを用いて遠隔地のマウスやキーボードを制御する場合、遠隔地コンピュータ１００のキーボードやマウスなどの入力動作を遮断して（Ｓ４１５）、遠隔通信端末機２００が遠隔制御する際、遠隔地コンピュータ１００で遠隔制御作業を妨害する等の問題を事前に防止する。
【００３０】
遠隔通信端末機２００は、仮想マウスを用いて遠隔制御作業を行い（Ｓ４２０）、これにより遠隔コンピュータマネージャ１３０は、該当動作を行うことにより（Ｓ４２５）、その動作の実行結果を遠隔通信端末機２００に送信する（Ｓ４３０）。遠隔通信端末機２００は、画面を再構成して表示し（Ｓ４３５）、遠隔制御を終了する（Ｓ４４０）。遠隔制御が終了すれば、遠隔コンピュータマネージャ１３０は、キーボード、マウスなどの入力遮断を解除する（Ｓ４４５）。
【００３１】
遠隔通信端末機２００でユーザは、多様な方法で、遠隔地コンピュータ１００を制御するか、又は遠隔地コンピュータ１００から渡されたアプリケーションプログラムのウィンドウを配置するか又は表現するための機能を実行することができる。その１つが、特定プログラムの遠隔実行である。仮想のマウスを用いるか、又は遠隔コンピュータマネージャ１３０から伝達された情報を基に、遠隔地コンピュータ１００のウィンドウズのスタートメニューと、背景画面の短縮アイコン情報を持ってくることができる。これにより、遠隔通信端末機２００を用いて目標とする特定アプリケーションプログラムを実行することもできる。一方、メニューに登録されていないプログラムは、ウィンドウエクスプローラなどを制御して実行することもできる。
【００３２】
図５は、遠隔通信端末機を用いて、遠隔地コンピュータのアプリケーションプログラムを実行する過程の説明に提供されるメッセージシーケンスチャートである。図５に示すように、遠隔通信端末機２００から遠隔地コンピュータ１００の遠隔コンピュータマネージャ１３０に短縮アイコンの位置情報を要求すれば（Ｓ５０５）、遠隔コンピュータマネージャ１３０は、短縮アイコンの情報リストを構成して（Ｓ５１０）、収集された情報を遠隔通信端末機２００に伝達する（Ｓ５１５）。これにより、遠隔通信端末機２４０は、画面にアイコンリストを表示する（Ｓ５２０）。ユーザは、遠隔通信端末機２００の画面に表示されたリストを見て実行するプログラムを選択した後、プログラム実行を要求する（Ｓ５２５）。遠隔コンピュータマネージャ１３０は、要求されたアプリケーションプログラムを実行し（Ｓ５３０）、その結果を遠隔通信端末機２００に送信する（Ｓ５３５）。プログラムが実行されれば、ウィンドウ情報変更感知及び通知機能を用いて、遠隔通信端末機上の画面を再構成して表示する（Ｓ５４０）。
【００３３】
遠隔地コンピュータの画面上に表示されたアプリケーションプログラムと画面情報が遠隔通信端末２００の画面上に表示されるが、遠隔地コンピュータ１００の画面情報、実行されている全てのアプリケーションプログラム、さらにはウインドウ属性やアプリケーションプログラムウインドウの位置情報が伝達される。遠隔通信端末機２００は、受信した情報をその画面上に、遠隔通信端末機２００の画面サイズに合うようにして、遠隔地コンピュータ１００の画像と類似にフレーム形態で画像状態を表示する。
【００３４】
このように、持ってきた遠隔地コンピュータの画面情報から特定のアプリケーションプログラムを選択することができるが、上下左右のキーを用いて、実行されたウィンドウの順序に応じて、以前又は次のプログラムを選択することができ、前記の実施の形態で説明した仮想マウスを用いて選択することもできる。
【００３５】
また、特定のアプリケーションプログラムを選択すれば、そのウィンドウのみを遠隔通信端末機２００の全体画像として表示させることができる。このウィンドウ内でメニューアイコンや特定位置にあるウィンドウコントロールは、方向キーなどを用いて選択することができるが、コントロールの種類に応じて遠隔通信端末機２００でのメニューが異なる。ウインドウコントロールのコントロールパネルも、コントロールのタイプに従って、遠隔通信端末機２００に適切になるように、異なって表現される。
【００３６】
さらに、コントロールパネルでの作業が不可能であるか、又はより便利に作業できるように、仮想マウスイベントを送信して制御することもできる。
【００３７】
遠隔通信端末機２００の画面に遠隔地コンピュータの画面情報全体を表示するか、又は特定アプリケーションプログラムの画面を表示しても、遠隔通信端末機２００の画像がより小さいため、画像上の内容を確認するのに不便を感じる場合もありうる。この場合、遠隔通信端末機２００の画像解像度のＸ倍だけ拡大して表示することもできるが、拡大された画像は、遠隔通信端末機２００の画面全体に表示して、より細かな情報の検索と容易な制御を可能にする。遠隔通信端末機２００の全体画面より大きな内容は、スクロールを介して他の部分を見ることができる。
【００３８】
以上説明したように、本発明によれば、低速の通信網で、遠隔地コンピュータに比べて低速仕様の遠隔通信端末機と遠隔地コンピュータとの間の最適化されたデータ同期化を支援することができるので、小さくは、国内のどこでも又は広くは海外出張中でも、通信網接続さえ支援されるならば、ＰＤＡ又はモバイル通信端末機で社内コンピュータ又は家庭のコンピュータにアクセスして、必要なアプリケーションプログラムの駆動、内部の文書検索、メール検索なども行うことができる。これをさらに拡張すれば、シンクライアント用にも応用できるという効果をもたらす。
【００３９】
特に、遠隔通信端末機を用いて遠隔地でｅメールを検査でき、遠隔通信端末機上の小さな画像でも遠隔地コンピュータの特定アプリケーションプログラム内で必要な部分のデータをテキスト形式で見ることができるから、データの損失なしで必要な情報を得ることができ、個人用や業務用にも活用できる範囲が多様である。
【００４０】
そして、低速の通信網でも既存の方式に比べて２倍以上速い資料の送信により、安く遠隔地コンピュータを制御し資料を検索できるから、経済的効果が大きいといえる。
【００４１】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【００４２】
本発明に係るコンピュータの遠隔画像制御方法及びそのシステムは、低速仕様の遠隔通信端末機を用いて有線又は無線上の低速通信網環境でも遠隔地にあるコンピュータを直接制御し実行できるようにする。
【図面の簡単な説明】
【００４３】
【図１】従来の技術に係るコンピュータの遠隔制御方法の説明に用いられる図である。
【図２】本発明に係るコンピュータの遠隔制御方法が適用されるシステムの説明に用いられる図である。
【図３】遠隔通信端末機から遠隔地コンピュータのアプリケーションプログラムに対する属性情報を抽出して処理する過程の説明に提供されるメッセージシーケンスチャートである。
【図４】仮想マウスを用いて遠隔地コンピュータを遠隔制御する過程の説明に提供されるメッセージシーケンスチャートである。
【図５】遠隔通信端末機を用いて遠隔地コンピュータのアプリケーションプログラムを実行する過程の説明に提供されるメッセージシーケンスチャートである。
【符号の説明】
【００４４】
１００…遠隔地コンピュータ、１５０…有無線通信網、２００…遠隔通信端末機
【図１】
2009500763.tif 000004
【図２】
2009500763.tif 000005
【図３】
2009500763.tif 000006
【図４】
2009500763.tif 000007
【図５】
2009500763.tif 000008
【国際調査報告】
2009500763.tif 000009
2009500763.tif 000010